(57)【要約】【課題】            手袋の破損し易い部分を補強して手袋の寿命を延ばすと共に、装着感並びに使用感を良好な状態に保持しつつ作業性も低下しない作業用手袋を提供する。【解決手段】        掌部、甲部及び指部で構成される作業用手袋において、人差し指部の指先部及び／又は中指部の指先部に補強材が被着されて補強されている。また、これに加え親指部と人差し指部との間の指股部に、補強材が被着されて補強されている。【選択図】          図１
0003107683.tif 000002
【実用新案登録請求の範囲】
【請求項１】
掌部、甲部及び指部で構成される作業用手袋において、人差し指部の指先部及び／又は中指部の指先部に補強材が被着されて補強されていることを特徴とする作業用手袋。
【請求項２】
掌部、甲部及び指部で構成される作業用手袋において、人差し指部の指先部及び／又は中指部の指先部と、親指部と人差し指部との間の指股部に、補強材が被着されて補強されていることを特徴とする作業用手袋。
【請求項３】
掌部、甲部及び指部で構成される作業用手袋において、各指部の指先部又は各指部の指先部及び親指部と人差し指部との間の指股部に、補強材が被着されて補強されていることを特徴とする作業用手袋。
【考案の詳細な説明】
【技術分野】
【０００１】
この考案は、水産業、農林業、土木建設業及び製造業等において使用する作業用手袋に関する。
【背景技術】
【０００２】
作業用手袋においては、作業によって部分的にいつも力が加わったり頻繁に使用されて破損し易い部分が存在し、使用中に部分的に破損することがある。部分的に破損した作業用手袋は、破損した部分以外は傷み具合もたいしたことはなく、まだ十分使用に耐え得ると思い勿体ないと思いつつも破棄するのが常である。これでは部分的に破損する部分が存在するために手袋を破棄することになり手袋の寿命が短くなると共に不経済となる。
そこで、従来、このような手袋の破損し易い部分を補強した作業用手袋として、手袋の最も破損し易い部分を、手袋全体を構成している主糸に、さらに１本から複数本の補強糸を加えて編成したもの（例えば、特許文献１参照）、手袋本体の掌側部に補強用シートを張設したもの（例えば、特許文献２参照）、また、メリヤス手袋の指先部分にゴムシートを圧着し、別のゴムシートで指先部分を含む少なくとも手袋の掌側表面を覆うように圧着したもの（例えば、特許文献３参照）、等が提供されている。
【特許文献１】実用新案登録第３０５７９６７号
【特許文献２】特開平１０−１３０９１８号公報
【特許文献３】特開平１０−２１２６１４号公報
【考案の開示】
【考案が解決しようとする課題】
【０００３】
しかしながら、従来の破損し易い部分を補強した作業用手袋においては、次のような課題がある。
手袋の最も破損し易い部分を、手袋全体を構成している主糸に、さらに１本から複数本の補強糸を加えて構成した作業用手袋は、メリヤス手袋のような編成材で構成する手袋には採用できるが、ゴム製及び合成樹脂製の手袋には採用できない課題がある。
また、手袋本体の掌側部に補強用シートを張設したものは、手袋の破損し易い部分のみならず、指部を含む掌側部に補強用シートを張設するので、作業が難しく、かつ不要な部分まで補強用シートが存在することとなる課題がある。
また、メリヤス手袋の指先部分にゴムシートを圧着し、別のゴムシートで指先部分を含む少なくとも手袋の掌側表面を覆うように圧着したものは、不要な部分までゴムシートが存在することとなる不利があると共に、指先部分はゴムシートで二重になり厚くなるため指先の感覚が低下したり、作業性が低下する課題がある。
【０００４】
さらに、従来の作業用手袋は、補強することによって指や掌の部分の厚みが増すため、指や掌が曲げにくくなり、物を掴みにくくなるし、また、手の感触も低下するので操作性も低下し、作業性が悪くなる課題がある。
この考案は、このような従来の課題を解決するものであって、手袋の破損し易い部分を補強して手袋の寿命を延ばすと共に、装着感並びに使用感を良好な状態に保持しつつ作業性も低下しない作業用手袋の提供を目的とする。
【課題を解決するための手段】
【０００５】
前記課題を解決するため、この考案の請求項１の作業用手袋は、掌部、甲部及び指部で構成される作業用手袋において、人差し指部の指先部及び／又は中指部の指先部に補強材が被着されて補強されていることを特徴とする。
これにより手袋の破損し易い部分としての人差し指部の指先部及び／又は中指部の指先部に補強材が被着されているので、この部分が補強されて、この部分が特に使用されて摩耗や破損する作業においても手袋の寿命は長くなる。従って、この手袋は、人差し指部及び／又中指部の指先部を特に使用して摩耗や破損する作業用手袋として適している。
【０００６】
また、この考案の請求項２の作業用手袋は、掌部、甲部及び指部で構成される作業用手袋において、人差し指部の指先部及び／又は中指部の指先部と、親指部と人差し指部との間の指股部に、補強材が被着されて補強されていることを特徴とする。
これにより手袋の破損し易い部分としての人差し指部の指先部及び／又は中指部の指先部ばかりでなく、親指部と人差し指部との間の指股部にも補強材が被着されているので、この部分が補強されて、この部分が特に使用されて摩耗や破損する作業においても手袋の寿命は長くなる。従って、この手袋は、人差し指部及び／又は中指部の指先部、親指部と人差し指部との間の指股部が特に摩耗や破損する作業用手袋として特に適している。
【０００７】
さらに、この考案の請求項３の作業用手袋は、掌部、甲部及び指部で構成される作業用手袋において、各指部の指先部又は各指部の指先部及び親指部と人差し指部との間の指股部に、補強材が被着されて補強されていることを特徴とする。
これにより手袋の破損し易い部分としての各指部の指先部又は各指部の指先部、親指部と人差し指部との間の指股部に補強材が被着されているので、この部分が補強されて、この部分が特に使用されて摩耗や破損する作業においても手袋の寿命は長くなる。従って、この手袋は、各指部の指先部又は各指部の指先部、親指部と人差し指部との間の指股部が特に摩耗や破損する作業用手袋として特に適している。
【考案の効果】
【０００８】
この考案の作業用手袋によれば、次のような効果を奏する。
（１）手袋の破損し易い部分として、各指部の指先部及び親指部と人差し指部との間の指股部を指摘できる。中でも特に人差し指部、中指部の指先部及び親指部と人差し指部との間の指股部が摩耗、破損する。この考案は、これらの部分を補強材で補強したので摩耗、破損が防止され、耐久性が向上し、手袋の寿命を長くすることができる。
（２）また、この考案の作業用手袋は、手袋の破損し易い部分だけを補強し、不必要な部分は補強されていないので、装着感並びに使用感も良好であり、物が掴みにくくなったり、操作性が低下したり、作業性が低下したりすることがない。
（３）さらに、この考案は、メリヤス編製だけでなく、ゴム製及び合成樹脂製の手袋にも採用可能である。
【考案を実施するための最良の形態】
【０００９】
手袋の摩耗及び破損し易い部分を補強材で補強する。手袋の摩耗及び破損し易い部は、各指部の指先部及び親指部と人差し指部との間の指股部であり、中でも特に、人差し指部の指先部、中指部の指先部及び親指部と人差し指部との間の指股部が、摩耗及び破損し易い。この考案の作業用手袋は、手袋のこれらの部分を部分的に補強材で補強する。補強材を被着する好ましい形態としては、（１）人差し指部の指先部、（２）中指部の指先部、（３）人差し指部の指先部及び親指部と人差し指部との間の指股部、（４）中指部の指先部及び親指部と人差し指部との間の指股部、（５）人差し指部と中指部の指先部、（６）人差し指部と中指部の指先部及び親指部と人差し指部との間の指股部、（７）各指部の指先部、（６）各指部の指先部及び親指部と人差し指部との間の指股部、を挙げることができる。
【実施例１】
【００１０】
以下、この考案の作業用手袋を図面に示す実施例について詳細に説明する。図１はこの考案の実施例１を示す作業用手袋の斜視図、図２は指先部分の断面図である。
この作業用手袋１は、掌部２、甲部３、各指部４、５、６、７、８及び手首部９で構成されたゴム製の手袋であり、本例では掌部２及び甲部３は、小さな凹凸が形成されてスベリ止めが加工されている。また、この作業用手袋１は、図２に示すように内面が布張り１０されて保温される構成となっている。
【００１１】
前記親指部４、人差し指部５、中指部６、薬指部７、小指部８の各指部の指先部には、補強材１１が被覆されて固着されている。また、親指部４と人差し指部５との間の指股部にも補強材１１が被覆されて固着されている。この補強材１１は、各指部４、５、６、７、８の指先部及び親指部４と人差し指部５との間の指股部を補強し、摩耗及び破損から保護することによって耐久性を向上させるものである。従って、補強材１１の材料としては、補強することによって摩耗及び破損から保護できる材料であればよく、作業用手袋１と同一材であっても、別材であってもよく、ゴム材、合成樹脂剤、皮革、布等を例示することができる。
【００１２】
補強材１１を被覆する範囲は、広くすると装着感や使用感が低下したり、作業性が低下するし、狭い(少ない)と装着感、使用感及び作業性は向上するが、補強としての効果が低下する。従って、補強材１１は、これらの点を考慮し最適の範囲に被覆する。例えば、各指部４、５、６、７、８の指先部では、図２に示すように先端より手の第一関節に相当する部分までを被覆すれば十分である。この範囲では装着感、使用感及び作業性も低下しないし、補強の役目も十分果たせるものである。
【実施例２】
【００１３】
図３はこの考案の実施例２を示す作業用手袋の斜視図である。この実施例２は、中指部６の指先部に補強材１１を被覆して固着した場合であって、他は前記実施例と同様であるので、同一構成要素には同一符号を付して詳細な説明は省略する。
この作業用手袋１は、中指部６の指先部が補強材１１で補強されているので、中指部６の指先部を頻繁に使用する作業用手袋として最適となる。
【実施例３】
【００１４】
図４はこの考案の実施例３を示す作業用手袋の斜視図である。この実施例３の作業用手袋１は、掌部２、甲部３、各指部４、５、６、７、８及び手首部９で構成されたメリヤス編製の軍手を示し、掌部２側にスベリ止め加工が施されている。本例では人差し指部５の指先部、中指部６の指先部及び親指部４と人差し指部５との間の指股部に補強材１１が被覆され固着されている。他は前記実施例１と同様であるので、同一構成要素には同一符号を付して詳細な説明は省略する。
この作業用手袋１は、人差し指部５の指先部、中指部６の指先部及び親指部４と人差し指部５との間の指股部が補強材１１で補強されているので、該部分に力が加わったり、摩耗する作業に使用して最適となる。
【００１５】
なお、前記実施例は、この考案を制限するものではなく、この考案は要旨を逸脱しない範囲内で種々の変更が許容される。
例えば、前記実施例では、ゴム製の手袋及び軍手で説明したが、この考案は他の材料で構成したもの（例えば、皮革製）も包含する。
また、補強材１１を設ける場所も前記実施例の態様だけでなく、種々の態様を包含する。例えば、人差し指部５の指先部に補強材１１を被覆する態様、また、これに親指部４と人差し指部５との間の指股部に補強材１１を被覆する態様等である。
【図面の簡単な説明】
【００１６】
【図１】この考案の実施例１を示す作業用手袋の斜視図である。
【図２】指先部分の断面図である。
【図３】この考案の実施例２を示す作業用手袋の斜視図である。
【図４】この考案の実施例３を示す作業用手袋の斜視図である。
【符号の説明】
【００１７】
１  作業用手袋
２  掌部
３  甲部
４  親指部
５  人差し指部
６  中指部
７  薬指部
８  小指部
９  手首部
１１  補強材
【図１】
0003107683.tif 000003
【図２】
0003107683.tif 000004
【図３】
0003107683.tif 000005
【図４】
0003107683.tif 000006